(57)【要約】【課題】  従来のギターはポジションを押さえるという動作とストロークし発音するという動作が別々に分かれている。多くの声部が独立した動きをする曲の演奏をすることは、動作が複雑となりほとんど不可能であった。【解決手段】    回転軸によりキィを下ろすと回転軸によって力が伝わりストロークされるという、キィメカニズムをギターに導入して、ポジションを押さえた直後に、キィメカニズムにより押さえた弦がストロークされ発音するという構造で演奏できるようにする。【選択図】図１
2013167856.tif 000002
【特許請求の範囲】
【請求項１】
各弦に沿う向きで、ネックより上方に、弦を回る方向に回転することが出来る軸を設け、ポジションの上部にキィを設けたギター。そのキィを下げる方向に動かすと、キィの最下段にある部位が弦に触れ、さらに下げるとポジションの位置の弦がフレットに触れるところまで下がる。この間、中間部分にある部位によって軸が回転し、ストローク側が回転して弦をはじき発音されるという構造で演奏できるようにしたギター。
【請求項２】
キィの中にバネを組み込みフレットに弦が触れるところまでキィを下げた時点では、ストローク側でまだ弦までの距離に余裕があり発音しないが、その後さらに下げていくと、キィ内のバネが縮んでいき、その押し代により弦がストロークされるという、フレットに弦が触れる前に発音されることはないというギターのキィメカニズム。
【請求項３】
ストロークを行い弦の長手に直角方向に動いたストロークの指部分は、キィを離すとすなわちキィが上昇するのにともない今度は弦長手の逆の直角方向に動く。この戻る時はストロークの指部分は弦に触れない。それは、ストロークする部位に対してガイドが設置されていることと、ストロークする部位と回転軸の接合の仕方によるためである。ストロークする側の接続部の形状は回転軸の弦側の半円よりもなるく作られる。このことでストロークする部位はストローク時の向きである弦の長手直角方向から水平方向に回転できる回転代が存在する。弦をストロークし戻ってくる時はガイドによりストロークする部位が弦の長手直角方向から弦に平行な方向に向きを変えるためストロークする部位の先端形状にある切り欠きのため当たることがなく弦を通り過ぎたストローク部位はもう一つのガイドにより元の位置に戻されるというギターのキィメカニズム。
【発明の詳細な説明】
【技術分野】
【０００１】    本発明は、キイメカニズムにより高度な演奏ができるようにしたギターに関する。
【背景技術】
【０００２】      従来のギターを演奏する場合、左手でポジションを押さえることにより振動する弦の長さを調節し、その後右手でストロークすることによって発音するというように、ポジションを押さえる動作とストロークし弦をはじくという別々の動作をして演奏する構造となっている。
【先行技術文献】
【特許文献】
【０００３】従来普通のギターは全てこのような手順で演奏される構造となっている。
【非特許文献】
【０００４】従来普通のギターは全てこのような手順で演奏される構造となっている。
【発明の概要】
【発明が解決しようとする課題】
【０００５】  従来のギターはポジションを押さえるという動作とストロークし発音するという動作が別々に分かれている。そのためピアノの曲のように多くの声部が独立した動きをする曲の演奏をすることは、動作が複雑となりほとんど不可能であった。【０００６】  本発明は、従来のギターのもつポジションを押さえ、ストロークするという２つの別々の動作によって音を出すこの楽器の持つ演奏上の不利さを解決しようとするものであり、演奏時の動作を合理化し高度な演奏を可能とすることを目的とするものである。
【課題を解決するための手段】
【０００７】    本発明は上記目的を達成するためにキィメカニズムをギターに導入して、ポジションを押さえた直後に、キィメカニズムにより押さえた弦がストロークされ発音するという構造で演奏できるようにする。【０００８】    各弦に沿う向きで、弦の斜め上に、弦を回る方向に回転する軸を設ける。ポジションの上部にはキィを設ける。そのキィを下げる方向に動かすと、まずキィの最下段にある部位が弦に触れる。さらに下げるとポジションの位置の弦がフレットに触れるところまで下がる。その間、中間部分にある部位によって軸が回転し、ストローク側の部位も回転し弦をはじき発音される。【０００９】    キィの中にはバネが組み込まれている。フレットに弦が触れるところまでキィを下げた時点では、ストローク側でまだ弦までの距離に余裕があり、その後さらに下げていくと、キィ内のバネが縮んでいき、その押し代により弦がストロークされる。このためポジションを押さえる前にストローク側が弦にぶつかることはない。【００１０】    一方、キィとネック板の間にもバネが取り付けられている。これは押したキィを戻す働きをさせるためである。【００１１】    ストローク側の部位が弦をはじいた後、キィが離されるとキィが上昇する。それにともない今度は逆方向にストロークする部位も戻っていく。この戻る時にはストロークする部位は弦をはじかない。それは、ストロークする部位に対してガイドが設置されていることと、ストロークする部位と回転軸の接合の仕方によるためである。接続部の形状は回転軸の弦側の半円よりもストロークする側の方がなるいの形状に作られる。このことでストロークする部位はストローク時の向きである弦の長手直角方向から弦の長手方向に向けて回転できる回転代が存在する。弦をストロークし戻ってくる時はガイドがストロークする部位を弦の長手直角方向から弦に平行な方向に向かって回転させるため当たることがない。その後弦を通り過ぎたストローク部位はもう一つのガイドにより元の位置に戻される。ストロークする部位の弦をはじく箇所には、弦をはじいた後弦を避けやすいように切り欠きをつけてある。
【発明の効果】
【００１２】    上述のように本発明のギターは、ポジションを押さえる動作と弦をはじく動作を一体化し、キィを鍵盤楽器のように順に弾いていくことで早いパッセージの演奏や声部が対位的に動く音楽の演奏が可能となる。またピアノのような鍵盤楽器と比べてみても、１オクターブ、２オクターブの音を出すことの出来るキィは違う弦のキィを使えば直ぐ近い距離にあり、有利な点がみとめられる。総じて高度な演奏が可能となるものである。【００１３】    複数の声部が複雑な動きをする音楽は、現在聞く音楽の大部分占めている。それにもかかわらず路上で演奏することは、様々な楽器がある中で探しても、音量の微小さ、電気設備の無さ、持ち運びの大変さなどの面で従来困難であった。この発明により人々の音楽活動を広げることができる。
【図面の簡単な説明】
【００１４】
【図１】  本発明の平面図
【図２】  図１を拡大したもの
【図３】  側面図および突起部の断面図
【図４】  図２におけるＡ矢視
【図５】  図２におけるＣ矢視及びストローク部位の詳細
【図６】  ストロークする部位とガイドの位置関係
【発明を実施するための形態】
【００１５】    以下、本発明の実施の形態を図１〜図６に基づいて説明する。説明文中の「」付きの言葉は図中にあることばである。
【００１６】    「回転する軸」はギターネックに剛接合された「突起」によって支持。この突起に空洞部分があり「回転する軸」が中に入る。「ストロークする部位」と「回転する軸」は軸の弦側の半円形状に違いがあり「ストロークする部位」の方がなるい形状で接合される。「キィの下降を回転に変える部位」と「回転する軸」は剛接合。「キィ本体」は「変位制限装置」により移動が制限。「キィ本体」は「ネックのバネ」によって支持。「ネック」と「ネックのバネ」は剛接合。「キィ本体」は下から「キィのバネ」、「キィ下地材」そして「弾く部分のキィ」となっている。「ストロークする部位」の動きを制御するため「ガイド」が２箇所「ネック」から片持ち梁によって支持されている。「ストロークする部位」の弦を弾く側は、弦を弾いた後弦を避けやすいように切り欠きをいれてある。
【図１】
2013167856.tif 000003
【図２】
2013167856.tif 000004
【図３】
2013167856.tif 000005
【図４】
2013167856.tif 000006
【図５】
2013167856.tif 000007
【図６】
2013167856.tif 000008